(57)【要約】【課題】本発明は振動が少なく、清掃しながら水雑巾板の動きが見られる真空清掃機用水雑巾ブラッシュに関する。【解決手段】本発明による真空清掃機用水雑巾ブラッシュはブラッシュ本体と、ブラッシュ本体に回動自在に設置されて吸入される空気により回転するファンと、ブラッシュ本体に設置してファンの回転を伝達する動力伝達ユニットにより連動する偏心カム及び偏心カムの軌跡に沿って動くことができるようにブラッシュ本体に個別的に設置される少なくとも２個の水雑巾板を含む。【選択図】  図２
2006175201.tif 000002
【特許請求の範囲】
【請求項１】
ブラッシュ本体と、
前記ブラッシュ本体に回動自在に設置され、吸入される空気により回転するファンと、
前記ブラッシュ本体に設置され、前記ファンの回転を伝達する動力伝達ユニットにより連動する偏心カム、及び
前記偏心カムの軌跡に沿って動くことができるように前記ブラッシュ本体に個別的に設置される少なくとも２個の水雑巾板と、を含むことを特徴とする真空清掃機用水雑巾ブラッシュ。
【請求項２】
前記動力伝達ユニットは、
前記ファンの両端に突設された回転軸に組立てられたウォーム、及び
前記ウォームと噛合っており、その下端には前記偏心カムが設置されたウォームホイールと、を含むことを特徴とする請求項１に記載の真空清掃機用水雑巾ブラッシュ。
【請求項３】
前記ファンの両側にそれぞれ設置されたウォームホイールは相互反対方向に回転するよう設置されたことを特徴とする請求項２に記載の真空清掃機用水雑巾ブラッシュ。
【請求項４】
前記水雑巾板は、
前記偏心カムが挿入され、長空形状に成型されたカム溝、及び
前記カム溝の一側に設置され、前記ブラッシュ本体に形成された長空形状の案内溝に挿入される案内突起と、を含むことを特徴とする請求項１に記載の真空清掃機用水雑巾ブラッシュ。
【請求項５】
前記２個の水雑巾板は、
反復的に前記ブラッシュ本体の中心に集まってから遠くなる直線運動をするように設置されたことを特徴とする請求項４に記載の真空清掃機用水雑巾ブラッシュ。
【請求項６】
前記２個の水雑巾板は、
それぞれ向かい合っている側の辺が傾斜加工されたことを特徴とする請求項５に記載の真空清掃機用水雑巾ブラッシュ。
【請求項７】
前記水雑巾板は、
その一部分が前記ブラッシュ本体から突出するように前記ブラッシュ本体の下側に設置されたことを特徴とする請求項１に記載の真空清掃機用水雑巾ブラッシュ。
【請求項８】
水雑巾ブラッシュを介して汚物などを含む空気を吸入しつつ、水雑巾清掃をする真空清掃機において、
前記水雑巾ブラッシュは、
ブラッシュ本体と、
前記ブラッシュ本体に回動自在に設置され、吸入される空気により回転するファンと、
前記ファンの両端回転軸にそれぞれ組立てられた第１及び第２ウォームと、
前記ブラッシュ本体に前記第１及び第２ウォームと噛合うように設置された第１及び第２ウォームホイールと、
前記第１及び第２ウォームホイールの下端にそれぞれ設置され、前記ウォームホイールの回転中心と偏心された第１及び第２偏心カムと、
前記第１及び第２偏心カムのいずれか１つの偏心カムが挿入されて長空形状に成型されたカム溝と、前記カム溝の一側に設置されて前記ブラッシュ本体に形成された長空形状の案内溝に挿入される案内突起が形成された第１及び第２水雑巾板と、を含むことを特徴とする真空清掃機。
【請求項９】
前記第１及び第２水雑巾板は、
反復的に前記ブラッシュ本体の中心に集まってから遠くなる直線運動をするように設置されたことを特徴とする請求項８に記載の真空清掃機。
【請求項１０】
前記第１及び第２水雑巾板は、
それぞれ向かい合っている側の辺が傾斜加工されたことを特徴とする請求項８に記載の真空清掃機。
【請求項１１】
前記第１及び第２水雑巾板は、
その一部分が前記ブラッシュ本体から突出するように前記ブラッシュ本体の下側に設置されたことを特徴とする請求項８に記載の真空清掃機。
【発明の詳細な説明】
【技術分野】
【０００１】
本発明は真空清掃機用ブラッシュに係り、さらに詳細にはブラッシュに水雑巾が付着された真空清掃機用水雑巾ブラッシュに関する。
【背景技術】
【０００２】
部屋清掃などをする場合には真空清掃機でホコリや汚物などを除去した後別途に水雑巾をかけることが一般的である。しかしこのように真空清掃機による清掃と水雑巾を別途にかけることは不便な点がある。したがって、真空清掃機による清掃時に水雑巾かけも同時にできる真空清掃機用水雑巾ブラッシュが考案されて使われている。
【０００３】
図１には従来技術による真空清掃機用水雑巾ブラッシュの一例が図示されている。
【０００４】
図１に示したように、従来技術による真空清掃機用水雑巾ブラッシュ１はブラッシュ本体１０、ファン２０、動力伝達ユニット３０、水雑巾板４０を含む。
【０００５】
ブラッシュ本体１０には図示されない真空清掃機本体の吸入力により空気を吸入する空気吸入路１１が用意される。ファン２０はブラッシュ本体１０の空気吸入路１１上に吸入される空気により回転するように設置される。ファン２０の下端にはピニオンギヤ２１が用意されてファン２０が回転すれば一体で回転する。動力伝達ユニット３０はプーリギヤ３１と、第１及び第２ベルト３５、３７、第１及び第２プーリ３６で構成される。プーリギヤ３１はピニオンギヤ２１と噛み合うギヤ部３２と、ギヤ部３２の両側に用意された第１及び第２プーリ部３３、３４で構成される。第１及び第２プーリ３６はブラッシュ本体１０に回転自在なように設置され、その下端には第１及び第２プーリ３６の回転中心で一定距離離れた突出部（図示せず）が用意される。水雑巾板４０の上側には第１及び第２プーリ３６の突出部が挿入される溝（図示せず）が形成される。
【０００６】
前記のように構成された真空清掃機用水雑巾ブラッシュ１は吸入力により空気が吸入されれば、空気吸入路１１上に設置したファン２０が回転する。ファン２０が回転すればその下端に用意されたピニオンギヤ２１が回転するようになる。ピニオンギヤ２１が回転すれば、これと噛み合ったプーリギヤ３１のギヤ部３２が回転する。ギヤ部３２の回転によってプーリギヤ３１が回転すれば、第１及び第２ベルト３５、３７でプーリギヤ３１の第１及び第２プーリ部３３、３４と繋がった第１及び第２プーリ３６が回転するようになる。第１及び第２プーリ３６が回転すれば、第１及び第２プーリ３６の突出部はクランク動作をするようになる。そうすれば、第１及び第２プーリ３６の突出部に結合された水雑巾板４０がクランク動作をするようになる。したがって、水雑巾板４０の下面に付着された水雑巾により部屋の床面などが拭かれるようになる。
【０００７】
前記のような従来技術による真空清掃機用水雑巾ブラッシュ１は水雑巾板４０の往復速度が相当速い。ところが、水雑巾板４０の往復速度が速ければ騒音と振動が増加して、この時発生する振動が真空清掃機のパイプ延長管３を介してハンドルまで伝えられるためユーザが清掃をするのが不便であるという問題点がある。
【０００８】
また、従来の真空清掃機用水雑巾ブラッシュ１は清掃をする状態では水雑巾板４０の動きがよく見えないためユーザが清掃中に水雑巾かけがよくできているかどうかを即座に分からないという不便なところもある。
【発明の開示】
【発明が解決しようとする課題】
【０００９】
本発明は前記のような問題点を鑑みてなされたもので、水雑巾板の往復速度を遅くして、相互に対称的に動作する２個の水雑巾板を備えることによって騷音と振動が少ない真空清掃機用水雑巾ブラッシュ及びこれを具備した真空清掃機を提供することにその目的がある。
【００１０】
本発明の他の目的は、清掃時真空清掃機用水雑巾ブラッシュの上側で水雑巾板の動作が見られて、ユーザが清掃中に水雑巾かけがよくできているかどうかが即座に分かることのできる真空清掃機用水雑巾ブラッシュ及びこれを具備した真空清掃機を提供することにある。
【課題を解決するための手段】
【００１１】
前記のような本発明の目的は、ブラッシュ本体と、前記ブラッシュ本体に回動自在に設置され、吸入される空気により回転するファンと、前記ブラッシュ本体に設置され、前記ファンの回転を伝達する動力伝達ユニットにより連動する偏心カム、及び前記偏心カムの軌跡に沿って動くことができるように前記ブラッシュ本体に個別的に設置される少なくとも２個の水雑巾板と、を含む真空清掃機用水雑巾ブラッシュを提供することによって達成される。
【００１２】
ここで、前記動力伝達ユニットは、前記ファンの両端に突設された回転軸に組立てられたウォーム、及び前記ウォームと噛合っており、その下端には前記偏心カムが設置されたウォームホイールと、を含む。
【００１３】
このとき、前記ファンの両側にそれぞれ設置されたウォームホイールは相互に反対方向に回転するように設置されることが好ましい。
【００１４】
そして、前記水雑巾板は、前記偏心カムが挿入され、長空形状に成型されたカム溝、及び前記カム溝の一側に設置され、前記ブラッシュ本体に形成された長空形状の案内溝に挿入される案内突起と、を含む。
【００１５】
このとき、前記２個の水雑巾板は、反復的に前記ブラッシュ本体の中心に集まってから遠くなる直線運動をするように設置されることが好ましい。
【００１６】
また、前記２個の水雑巾板は、それぞれ向かい合っている側の辺が傾斜加工されたことが好ましい。
【００１７】
そして、前記水雑巾板は、その一部分が前記ブラッシュ本体から突出するように前記ブラッシュ本体の下側に設置される。
【００１８】
本発明の他の側面から見れば、前記のような本発明の目的は、水雑巾ブラッシュを介して汚物などが含まれた空気を吸入して水雑巾清掃をする真空清掃機において、前記水雑巾ブラッシュは、ブラッシュ本体と、前記ブラッシュ本体に回動自在に設置され、吸入される空気により回転するファンと、前記ファンの両端回転軸にそれぞれ組立てられた第１及び第２ウォームと、前記ブラッシュ本体に前記第１及び第２ウォームと噛合うように設置された第１及び第２ウォームホイールと、前記第１及び第２ウォームホイールの下端にそれぞれ設置され、前記ウォームホイールの回転中心と偏心された第１及び第２偏心カムと、前記第１及び第２偏心カムのいずれかの１つの偏心カムが挿入されて長空形状に成型されたカム溝と、前記カム溝の一側に設置されて前記ブラッシュ本体に形成された長空形状の案内溝に挿入される案内突起が形成された第１及び第２水雑巾板と、を含む真空清掃機を提供することによって達成される。
【００１９】
ここで、前記第１及び第２水雑巾板は、反復的に前記ブラッシュ本体の中心に集まってから遠くなる直線運動をするように設置されることが好ましい。
【００２０】
また、前記第１及び第２水雑巾板は、それぞれ向かい合っている側の辺が傾斜加工されたことが好ましい。
【００２１】
そして、前記第１及び第２水雑巾板は、その一部分が前記ブラッシュ本体から突出するように前記ブラッシュ本体の下側に設置される。
【発明の効果】
【００２２】
以上で説明したように本発明による真空清掃機用水雑巾ブラッシュによれば、水雑巾板の往復速度が遅くて、２個の水雑巾板が相互に反対方向に動作するため清掃時の騒音と振動を抑えることができる。
【００２３】
また、本発明による真空清掃機用水雑巾ブラッシュによれば、清掃時に水雑巾ブラッシュの上側で水雑巾板の動作が見えるため、ユーザが清掃中に水雑巾かけがよくできているかどうかが即座に分かる。
【００２４】
そして、本発明による真空清掃機は清掃時の騒音と振動が少く、ユーザが清掃中に水雑巾かけがよくできているかどうかが即座に分かる。
【発明を実施するための最良の形態】
【００２５】
以下、添付した図面を参照して本発明による真空清掃機用水雑巾ブラッシュの一実施形態に対して説明する。
【００２６】
図２は本発明による真空清掃機用水雑巾ブラッシュの一実施形態を示した上面斜視図であって、図３は図２の真空清掃機用水雑巾ブラッシュの底面図であって、図４は本発明による真空清掃機用水雑巾ブラッシュの動力伝達構造を説明するための部分斜視図である。
【００２７】
図２ないし図４に示したように、本発明による真空清掃機用水雑巾ブラッシュ１００はブラッシュ本体１１０、ファン１２０、動力伝達ユニット１３０、偏心カム１４１、１４２、水雑巾板１５１、１５２を含む。
【００２８】
ブラッシュ本体１１０は延長管のパイプ２２１に着脱自在に固定され、下側に形成された空気吸入口１１１から吸入された空気が延長管パイプ２２１に流れるようにする空気吸入路１１２が用意される。ブラッシュ本体１１０の上側にはファン１２０と動力伝達ユニット１３０を保護しながら、空気吸入路１１２をなすカバー（図示せず）が組立てられる。
【００２９】
ファン１２０は翼部１２１と、翼部１２１両端の回転中心からそれぞれ突設された第１及び第２回転軸１２２、１２３を含む。ファン１２０はブラッシュ本体１１０の空気吸入路１１２上に第１及び第２回転軸１２２、１２３が両端支持されて回転自在に設置される。この時、ファン１２０の第１及び第２回転軸１２２、１２３はそれぞれボールベアリング１２４、１２５により支持されることが好ましい。
【００３０】
動力伝達ユニット１３０は減速比が大きいウォームとウォームホイールで構成される。本実施形態による水雑巾ブラッシュ１００はファン１２０の第１及び第２回転軸１２２、１２３の動力を伝達するために第１及び第２動力伝達ユニット１３１、１３２を備える。第１動力伝達ユニット１３１はファン１２０の第１回転軸１２２に設置する第１ウォーム１３３と、第１ウォーム１３３と噛合ってブラッシュ本体１１０に対して平行に回転するように設置された第１ウォームホイール１３４を含む。第２動力伝達ユニット１３２はファン１２０を基準にして第１動力伝達ユニット１３１と対称されるように設置され、ファン１２０の第２回転軸１２３に設置する第２ウォーム１３５と、第２ウォーム１３５と噛合ってブラッシュ本体１１０に対して平行に回転するように設置された第２ウォームホイール１３６を含む。この時、第１及び第２ウォームホイール１３４、１３６はブラッシュ本体１１０に設置したベアリングやブラッシュのような第１及び第２回転支持部材１１４、１１６により回転支持される。この時、第１ウォーム１３３とウォームホイール１３４及び第２ウォーム１３５とウォームホイール１３６は同一方向に回転するウォームとウォームホイールが用いられる。例えば、第１ウォーム１３３とウォームホイール１３４及び第２ウォーム１３５とウォームホイール１３６は右側方向に回転するウォームとウォームホイールを用いることである。しかし、水雑巾板１５１、１５２の往復運動時振動を抑えるために第１ウォーム１３３とウォームホイール１３４及び第２ウォーム１３５とウォームホイール１３６はそれぞれ他の方向に回転するウォームとウォームホイールを用いることが好ましい。すなわち、第１ウォーム１３３とウォームホイール１３４は右側方向に回転するウォームとウォームホイールを用いて第２ウォーム１３５とウォームホイール１３６は左側方向に回転するウォームとウォームホイールを用いることである。このような組合せで第１及び第２ウォームとウォームホイール１３３、１３４、１３５、１３６を設置すれば、ファン１２０の回転により第１及び第２ウォームホイール１３４、１３６は相互に反対方向に回転するようになる。
【００３１】
図５及び図６に示したように、偏心カム１４１、１４２はウォームホイール１３４、１３６の下端に設置され、水雑巾板１５１、１５２に形成されたカム溝１５３、１５６と共にウォームホイール１３４、１３６の回転運動を直線運動に変換させる。偏心カム１４１、１４２はウォームホイール軸１３４ａ、１３６ａの下端にウォームホイール軸１３４ａ、１３６ａの回転中心から一定距離ｅ離隔されてピン形状で形成される。本実施形態による水雑巾ブラッシュ１００の場合には第１及び第２ウォームホイール１３４、１３６の下端にそれぞれピン形状の第１及び第２偏心カム１４１、１４２が設置されている。
【００３２】
水雑巾板１５１、１５２はブラッシュ本体１１０の下側に組立てられ、偏心カム１４１、１４２が挿入されるカム溝１５３、１５６が用意される。カム溝１５３、１５６は長空形状に成型されて、長空の短い方は偏心カム１４１、１４２が円滑に挿入されることができる長さで決まって、長い方は偏心カム１４１、１４２が一定距離移動できる長さで決まる。カム溝１５３、１５６の長い方の長さは水雑巾板１５１、１５２が往復する距離と関係がある。また、水雑巾板１５１、１５２のカム溝１５３、１５６の一側には案内突起１５４、１５７が用意される。この案内突起１５４、１５７はブラッシュ本体１１０に形成された案内溝１１５に挿入されて水雑巾板１５１、１５２の動きを制限する。案内溝１１５はウォームホイール１３４、１３６を支持する回転支持部材１１４、１１６の一側のブラッシュ本体１１０に長空形状に成型される。水雑巾板１５１、１５２の動きを安定的に案内するためには２個の案内溝１１５を回転支持部材１１４、１１６の両側に一個ずつブラッシュ本体１１０に形成することが好ましい。この時、水雑巾板１５１、１５２の動きはカム溝１５３、１５６とブラッシュ本体１１０に形成された案内溝１１５の相互関係によって決定される。本実施形態による水雑巾ブラッシュ１００の場合には図５に示したように水雑巾板１５１、１５２のカム溝１５３、１５６は長い方がファン１２０の回転軸１２２、１２３に対して直角をなすように形成されて、ブラッシュ本体１１０の案内溝１１５は長い方がファン１２０の回転軸１２２、１２３に対して平行をなすように形成される。すなわち、水雑巾板１５１、１５２のカム溝１５３、１５６とブラッシュ本体１１０の案内溝１１５は長い方が相互に直角をなすように成型される。また、本実施形態の水雑巾ブラッシュ１００はブラッシュ本体１１０の第１及び第２ウォームホイール１３４、１３６をそれぞれ支持する第１及び第２回転支持部材１１４、１１６の両側にそれぞれ２個ずつの案内溝１１５が形成されて、水雑巾板１５１、１５２にも２個の案内溝１１５に対応する２個の案内突起１５４、１５７が用意される。案内突起１５４、１５７の上端には水雑巾板１５１、１５２がブラッシュ本体１１０の案内溝１１５から抜けることを防止するための抜け防止部材１５５、１５８がボルトなどの締結部材で固定される。このような抜け防止部材１５５、１５８としては案内溝１１５の短い方の距離より直径の大きい平ワッシャーなどが使われる。したがって、ウォームホイール１３４、１３６により偏心カム１４１、１４２が回転すれば、水雑巾板１５１、１５２がブラッシュ本体１１０から抜けることなく偏心カム１４１、１４２が挿入されたカム溝１５３、１５６と案内溝１１５に挿入された案内突起１５４、１５７により直線往復運動をするようになる。そして、水雑巾板１５１、１５２のカム溝１５３、１５６と案内突起１５４、１５７が形成された面と反対面には水雑巾（図示せず）を付着できるベルクロテープ（面ファスナー）が設置される固定部１５９が用意される（図３参照）。
【００３３】
また、第１偏心カム１４１と第２偏心カム１４２により動作する第１及び第２水雑巾板１５１、１５２は互いの関連性なしに動作させることができるが、第１及び第２水雑巾板１５１、１５２が相互に一定の関係を有して動作させることが好ましい。振動を抑えるためには第１及び第２水雑巾板１５１、１５２が相互に対称的に動作するようにすることが好ましい。例えば、第１水雑巾板１５１がブラッシュ本体１１０の中央に向かって移動すれば第２水雑巾板１５２も中央に移動させ、第１水雑巾板１５１がブラッシュ本体１１０の外側に向かって移動すれば第２水雑巾板１５２も外側に移動させる。すなわち、第１及び第２水雑巾板１５１、１５２が反復的にブラッシュ本体１１０の中心に集まってから遠くなる直線往復運動をするように設置することである。第１及び第２水雑巾板１５１、１５２がこのような動作をするようにするためには第１及び第２ウォームホイール１３４、１３６は相互に反対方向に回転するように設置されて、第１及び第２偏心カム１４１、１４２は図６に示したようにその方向が一致するように組み立てるべきである。
【００３４】
そして、前記のように第１及び第２水雑巾板１５１、１５２が対称的に動作する水雑巾ブラッシュ１００は第１及び第２水雑巾板１５１、１５２が中央に集まる場合第１及び第２水雑巾板１５１、１５２間に指や品物などが挟まる恐れがある。これを防止するために図７に示したように第１及び第２水雑巾板１５１、１５２の向かい合っている辺を傾斜面１５１ａ、１５２ａに加工することが好ましい。この時、傾斜面１５１ａ、１５２ａは水雑巾が付着される側の底面１５１ｃ、１５２ｃは傾くように加工して、水雑巾板１５１、１５２がブラッシュ本体１１０に組立てられる側の上面１５１ｄ、１５２ｄはそのまま維持する。
【００３５】
また、水雑巾板１５１、１５２は水雑巾清掃時にユーザが水雑巾板１５１、１５２の動作を確認できるように、上側から見る場合その一部分が前記ブラッシュ本体１１０から突出したようなサイズを有するよう成型する。本実施形態による水雑巾ブラッシュ１００はブラッシュ本体１１０が延長管パイプ２２１に組立てられる辺の両隅１１３がラウンドに成型されて、第１及び第２水雑巾板１５１、１５２は常に一側隅がブラッシュ本体１１０の両隅１１３から見えるように長方形で成型される。また、第１及び第２水雑巾板１５１、１５２は両水雑巾板１５１、１５２が外側へ最大に移動した時には水雑巾板の一側１５１ｂ、１５２ｂがブラッシュ本体１１０から突出されるサイズで成型することが好ましい（図８Ａ参照）。
【００３６】
前記のように構成された真空清掃機用水雑巾ブラッシュの動作に対して添付された図２ないし図８Ｃを参照しながら説明する。
【００３７】
図示していない真空清掃機本体のモーターが作動して吸入力が発生すれば、ブラッシュ本体１１０の空気吸入口１１１を介して空気が吸入される。空気吸入口１１１を介して吸入された空気は空気吸入路１１２を過ぎて空気吸入路１１２上にボールベアリング１２４、１２５により両端支持されて設置されたファン１２０を回転させる。ファン１２０が回転すれば、ファン１２０の回転軸１２２、１２３に設置された第１及び第２ウォーム１３３、１３５も一体で回転するようになる。第１及び第２ウォーム１３３、１３５が回転すれば、第１及び第２ウォーム１３３、１３５と噛合っている第１及び第２ウォームホイール１３４、１３６が回転するようになる。第１及び第２ウォームホイール１３４、１３６が回転すれば、第１及び第２ウォームホイール１３４、１３６の下端に一体で設置された第１及び第２偏心カム１４１、１４２も第１及び第２ウォームホイール１３４、１３６の回転中心を中心にして一定距離ｅ離れて回転するようになる（図６参照）。この時、第１ウォームとウォームホイール１３３、１３４及び第２ウォームとウォームホイール１３５、１３６は相互に反対方向に回転するウォームとウォームホイールで構成されているので第１ウォームホイール１３４と第２ウォームホイール１３６は相互に反対方向に回転する。すなわち、第１ウォームホイール１３４が時計回りに回転すれば、第２ウォームホイール１３６は逆時計回りに回転する。
【００３８】
第１及び第２偏心カム１４１、１４２が回転すれば、第１及び第２偏心カム１４１、１４２が挿入された第１及び第２水雑巾板１５１、１５２のカム溝１５３、１５６とブラッシュ本体１１０の案内溝１１５に挿入された案内突起１５４、１５７により第１及び第２水雑巾板１５１、１５２がブラッシュ本体１１０の長さの方向に直線往復運動をするようになる。この時、第１偏心カム１４１と第２偏心カム１４２は図６に示したようにその位置が相互に対称をなして相互に反対方向に回転するように設置されているため、第１及び第２水雑巾板１５１、１５２はファン１２０の回転により相互に対称になる直線往復運動をする。
【００３９】
第１及び第２水雑巾板１５１、１５２の動作状態が図８Ａないし図８Ｃに図示されている。図８Ａは第１及び第２偏心カム１４１、１４２の回転により第１及び第２水雑巾板１５１、１５２がブラッシュ本体１１０の外側へ最大に移動した状態であって、図８Ｂは第１及び第２偏心カム１４１、１４２の回転により第１及び第２水雑巾板１５１、１５２がブラッシュ本体１１０の中心に向かって移動する状態を示しており、図８Ｃは第１及び第２水雑巾板１５１、１５２が最大限中心に移動して集まった状態を示す。このように第１及び第２水雑巾板１５１、１５２が対称運動をすれば両水雑巾板１５１、１５２の往復運動により発生する振動が減衰されるため、振動が延長管パイプ２２１を介してハンドル（２２２、図９参照）までには伝わらなくなる。
【００４０】
そして、図８Ａに示したように第１及び第２水雑巾板１５１、１５２が最大にブラッシュ本体１１０の外側の方に移動した場合第１及び第２水雑巾板１５１、１５２の一側辺１５１ｂ、１５２ｂの一部がブラッシュ本体１１０から突出するため、ユーザが水雑巾板１５１、１５２の動作を目で容易に確認することができる。
【００４１】
また、第１及び第２水雑巾板１５１、１５２は向かい合っている辺が図７に示したように傾斜面１５１ａ、１５２ａで加工されているため、図８Ｃに示したように第１及び第２水雑巾板１５１、１５２が中央に集まった場合にも指や品物などが両水雑巾板１５１、１５２の間に挟まらずに外側へと押されるようになる。
【００４２】
図９は本発明による真空清掃機用水雑巾ブラッシュを具備した真空清掃機の一実施形態を示した図面である。
【００４３】
図９に示したように、本発明による真空清掃機２００はホコリや汚物などが含まれた空気を吸入する水雑巾ブラッシュ１００、水雑巾ブラッシュ１００と本体２３０を連通する延長管２２０、集塵室２３５とモーター室２３１で分離区画された本体２３０を含む。
【００４４】
水雑巾ブラッシュ１００は、図２及び図３に示したように、その底面にホコリや汚物などが含まれた空気を吸入する空気吸入口１１１が形成されたブラッシュ本体１１０と、ブラッシュ本体１１０に対して直線往復運動をする２個の水雑巾板１５１、１５２を備える。水雑巾ブラッシュ１００の詳細な構造は上述したように同一であるので詳細な説明は省略する。延長管２２０は水雑巾ブラッシュ１００が着脱されるパイプ２２１と、ユーザが水雑巾ブラッシュ１００を移動させるハンドル部２２２と、ハンドル部２２２と本体２３０を連通するフレキシブルホース２２３を備える。集塵室２３５は水雑巾ブラッシュ１００を介して吸入される汚物などを含有した空気から汚物などを分離／捕集する汚物捕集ユニット（図示せず）が設置される。汚物捕集ユニットには一般的な集塵袋やサイクロン集塵ユニットのいずれも使われる。モーター室２３１には水雑巾ブラッシュ１００からホコリや汚物などを吸入する吸入力を発生させるモーター組立体２１０が設置される。モーター組立体２１０はモーター２１１、モーター２１１により回転するインペラー（図示せず）、インペラーにより吸入された空気をモーター２１１側に誘導するディフューザー２１２を含む。
【００４５】
前記のような本発明による真空清掃機２００で清掃をする場合、電源をオン（ＯＮ）すればモーター室２３１のモーター２１１が回転するようになる。モーター２１１が回転すれば、モーター軸の先端に設置したインペラーが回転するようになる。インペラーが回転すれば、水雑巾ブラッシュ１００の空気吸入口１１１を介してホコリや汚物などが含まれた空気が吸入される。
【００４６】
吸入される空気はブラッシュ本体１１０の空気吸入路１１２に沿って流れ、ファン１２０を回転させる。ファン１２０が回転すれば、前述したように偏心カム１４１、１４２とカム溝１５３、１５６及び案内溝１１５と案内突起１５４、１５７により２個の水雑巾板１５１、１５２が互いに対称で直線往復運動を行う（図４参照）。したがって、水雑巾板１５１、１５２の下面に付着した水雑巾（図示せず）により部屋の床などがきれいに拭かれる。この時、ハンドル２２２をつかんで清掃をするユーザはブラッシュ本体１１０の上側で常に水雑巾板１５１、１５２の一側隅が見られる。また、水雑巾板１５１、１５２がブラッシュ本体１１０の外方へ最大に移動した時は水雑巾板１５１、１５２の一側１５１ｂ、１５２ｂの一部分が見られるようブラッシュ本体１１０から突出してから内側へ移動することによりユーザは水雑巾で雑巾かけしていることを現実的に感じるようになる。
【００４７】
また、ファン１２０を通過した汚物などが含まれた空気は集塵室２３５の汚物捕集ユニットを通りながら汚物などが除去される。汚物などが除去された空気はインペラーとディフューザー２１２を介してモーター２１１を通過した後、排出口２３３を介して本体２３０外部に排出される。
【００４８】
本発明は上述した特定の実施形態に限定されるものではなく、後述する請求範囲に記載された本発明の思想から外れない範囲内で当該発明が属する技術分野で通常の知識を有する者が行える単純な構成要素の置換、付加、削除、変更は本発明の請求範囲記載範囲内に属することである。
【産業上の利用可能性】
【００４９】
本発明は真空清掃機産業分野で利用可能である。
【図面の簡単な説明】
【００５０】
【図１】従来技術による真空清掃機用水雑巾ブラッシュの一例を示した斜視図である。
【図２】本発明による真空清掃機用水雑巾ブラッシュの一実施形態を示した上面斜視図である。
【図３】図２の真空清掃機用水雑巾ブラッシュの底面図である。
【図４】本発明による真空清掃機用水雑巾ブラッシュの動力伝達構造を説明するための部分斜視図である。
【図５】本発明による真空清掃機用水雑巾ブラッシュの偏心カム、案内溝、カム溝を示した分離斜視図である。
【図６】本発明による真空清掃機用水雑巾ブラッシュの第１及び第２偏心カムの組立関係を説明するための図面である。
【図７】本発明による真空清掃機用水雑巾ブラッシュの水雑巾板の一実施形態を示した図面である。
【図８Ａ】本発明による真空清掃機用水雑巾ブラッシュの２個の水雑巾板が往復運動することを説明するための図面である。
【図８Ｂ】本発明による真空清掃機用水雑巾ブラッシュの２個の水雑巾板が往復運動することを説明するための図面である。
【図８Ｃ】本発明による真空清掃機用水雑巾ブラッシュの２個の水雑巾板が往復運動することを説明するための図面である。
【図９】本発明による真空清掃機用水雑巾ブラッシュを具備した真空清掃機を示した斜視図である。
【符号の説明】
【００５１】
１００  水雑巾ブラッシュ
１１０  ブラッシュ本体
１１１  空気吸入口
１１２  空気吸入路
１１４、１１６  回転支持部材
１１５  案内溝
１２０  ファン
１２１  翼部
１２２、１２３  回転軸
１２４、１２５  ボールベアリング
１３０、１３１、１３２  動力伝達ユニット
１３３、１３５  ウォーム
１３４、１３６  ウォームホイール
１４１、１４２  偏心カム
１５１、１５２  水雑巾板
１５３、１５６  カム溝
１５４、１５７  案内突起
１５５、１５８  抜け防止部材
【図１】
2006175201.tif 000003
【図２】
2006175201.tif 000004
【図３】
2006175201.tif 000005
【図４】
2006175201.tif 000006
【図５】
2006175201.tif 000007
【図６】
2006175201.tif 000008
【図７】
2006175201.tif 000009
【図８Ａ】
2006175201.tif 000010
【図８Ｂ】
2006175201.tif 000011
【図８Ｃ】
2006175201.tif 000012
【図９】
2006175201.tif 000013